(57)【要約】【課題】１つの照明制御装置で、種々の方式の照明器具を制御することができる照明制御装置を提供する。【解決手段】照明制御装置（２）は、位相調光照明器具およびデータ制御照明器具を制御可能である。照明制御装置（２）は、伝送信号生成部（２ｐ）と、出力端子（２ｔ）とを備えている。伝送信号生成部（２ｐ）は、位相制御信号および切欠含有信号を切り換えて生成する。出力端子（２ｔ）は、第１伝送信号生成部（２ｐ）において生成された位相制御信号または切欠含有信号を位相調光照明器具またはデータ制御照明器具に出力する。【選択図】図１
2015211021.tif 000002
【特許請求の範囲】
【請求項１】
位相制御信号に基づいて駆動する位相調光照明器具、および、制御信号設定区間において、設定された切り欠きのパターンを有する電圧を含む切欠含有信号に基づいて駆動するデータ制御照明器具を制御可能な照明制御装置であって、
前記位相制御信号および前記切欠含有信号を切り換えて生成する第１伝送信号生成部と、
前記第１伝送信号生成部において生成された前記位相制御信号または前記切り欠きのパターンを有する電圧を前記位相調光照明器具または前記データ制御照明器具に出力する第１出力端子と
を備える、照明制御装置。
【請求項２】
切換信号に基づいて駆動する切換照明器具をさらに制御可能な、請求項１に記載の照明制御装置。
【請求項３】
前記データ制御照明器具に点灯電力を供給するとともに、前記切り欠きのパターンに基づいて前記データ制御照明器具の点灯状態を制御する制御情報を生成し、
前記制御信号設定区間に、前記データ制御照明器具に前記制御情報を供給する、請求項１または２に記載の照明制御装置。
【請求項４】
前記制御情報は、
前記データ制御照明器具の光量を制御する第１制御情報と、
前記データ制御照明器具の光色を制御する第２制御情報と
を含む、請求項３に記載の照明制御装置。
【請求項５】
前記第１伝送信号生成部は、半導体スイッチを有する、請求項１から４のいずれか１項に記載の照明制御装置。
【請求項６】
前記第１伝送信号生成部は、前記半導体スイッチを通過する前の電圧がゼロ電圧となるタイミングを検出するゼロクロス検出部をさらに含む、請求項５に記載の照明制御装置。
【請求項７】
前記第１伝送信号生成部の生成する信号の設定状態を表示する表示部と、
前記第１伝送信号生成部の生成する信号を前記表示部において設定された信号に切り換える切換部と
をさらに備える、請求項１から６のいずれか１項に記載の照明制御装置。
【発明の詳細な説明】
【技術分野】
【０００１】
本発明は、照明制御装置に関する。
【背景技術】
【０００２】
近年、照明光源として、白熱電球や蛍光灯に代わり、ＬＥＤ（Ｌｉｇｈｔ  Ｅｍｉｔｔｉｎｇ  Ｄｉｏｄｅ）が普及してきている。ＬＥＤ照明器具の調光方式には、例えば、位相制御方式、信号線方式、ＰＬＣ（Ｐｏｗｅｒ  Ｌｉｎｅ  Ｃｏｍｍｕｎｉｃａｔｉｏｎ）方式、無線方式がある。位相制御方式は、照明器具に供給する交流電圧の位相を調整して調光する方式である。信号線方式では、照明器具に電力を供給するための電力線に対して独立した信号線が用いられる。即ち、信号線方式は、コントローラーから照明器具へ、独立した信号線を介して調光のための制御信号を伝送して調光する方式である。ＰＬＣ方式は、コントローラーと照明器具とが接続する商用電源ラインを介して、コントローラーから照明器具へ調光のための制御信号を伝送して調光する方式である。無線方式は、コントローラーから照明器具へ、無線信号を媒体として調光のための制御信号を送信して調光する方式である。このため無線方式では、コントローラーが、無線信号を送信するための送信回路を備え、照明器具が、無線信号を受信するための受信回路を備える。
【先行技術文献】
【特許文献】
【０００３】
【特許文献１】特開２０１１−１７１００６号公報
【発明の概要】
【発明が解決しようとする課題】
【０００４】
しかしながら、従来の照明装置では、１つの照明制御装置で、種々の方式の照明器具を制御することができず、照明器具ごとに照明制御装置を変更する必要があった。
【０００５】
本発明は上記課題に鑑みてなされたものであり、その目的は１つの照明制御装置で、種々の方式の照明器具を制御することができる照明制御装置を提供することにある。
【課題を解決するための手段】
【０００６】
本願に開示する照明制御装置は、位相制御信号に基づいて駆動する位相調光照明器具、および、制御信号設定区間において、設定された切り欠きのパターンを有する電圧を含む切欠含有信号に基づいて駆動するデータ制御照明器具を制御可能な照明制御装置である。前記照明制御装置は、第１伝送信号生成部と、第１出力端子とを備える。前記第１伝送信号生成部は、前記位相制御信号および前記切欠含有信号を切り換えて生成する。前記第１出力端子は、前記第１伝送信号生成部において生成された前記位相制御信号または前記切り欠きのパターンを有する電圧を前記位相調光照明器具または前記データ制御照明器具に出力する。
【０００７】
本願に開示する照明制御装置において、切換信号に基づいて駆動する切換照明器具をさらに制御可能であってもよい。
【０００８】
本願に開示する照明制御装置において、前記データ制御照明器具に点灯電力を供給するとともに、前記切り欠きのパターンに基づいて前記データ制御照明器具の点灯状態を制御する制御情報を生成してもよい。また、前記制御信号設定区間に、前記データ制御照明器具に前記制御情報を供給してもよい。
【０００９】
本願に開示する照明制御装置において、前記制御情報は、前記データ制御照明器具の光量を制御する第１制御情報と、前記データ制御照明器具の光色を制御する第２制御情報とを含んでもよい。
【００１０】
本願に開示する照明制御装置において、前記第１伝送信号生成部は、半導体スイッチを有してもよい。
【００１１】
本願に開示する照明制御装置において、前記第１伝送信号生成部は、前記半導体スイッチを通過する前の電圧がゼロ電圧となるタイミングを検出するゼロクロス検出部をさらに含んでもよい。
【００１２】
本願に開示する照明制御装置において、前記第１伝送信号生成部の生成する信号の設定状態を表示する表示部と、前記第１伝送信号生成部の生成する信号を前記表示部において設定された信号に切り換える切換部とをさらに備えてもよい。
【発明の効果】
【００１３】
本発明によれば、１つの照明制御装置で、種々の方式の照明器具を制御することができる。
【図面の簡単な説明】
【００１４】
【図１】照明器具に接続された、本発明による照明制御装置の実施形態を示すブロック図である。
【図２】照明器具としてデータ制御照明器具の接続された本実施形態の照明制御装置を示すブロック図である。
【図３】照明器具として位相調光照明器具の接続された本実施形態の照明制御装置を示すブロック図である。
【図４】本実施形態の照明制御装置および照明制御装置に接続されたデータ制御照明器具を備える照明システムの要部を示すブロック図である。
【図５】本実施形態の照明制御装置におけるスイッチ部の一例を示す図である。
【図６】本実施形態の照明制御装置において、駆動部が生成する駆動信号の一例を示す図である。
【図７】（ａ）および（ｂ）は図４に示した照明システムにおけるＬＥＤの接続例を示す図である。
【図８】図４に示した照明システムにおける平滑回路の一例を示す図である。
【図９】図４に示した照明システムにおける定電流回路の一例の一部を示す図である。
【図１０】図４に示した照明システムにおける信号生成部の一例を示す図である。
【図１１】図４に示した照明システムにおける信号生成部の各部の信号波形の一例を示す図である。
【図１２】図４に示した照明システムにおける波形変換回路の出力波形の一例を示す図である。
【図１３】図４に示した照明システムの各部の信号波形の一例を示す図である。
【図１４】図４に示した照明システムにおいて、照明器具の制御部が発生させるデジタル信号の一例の概要を示す図である。
【図１５】図４に示した照明システムにおいて、照明器具の制御部が発生させるデジタル信号の一例の構成を示す図である。
【図１６】（ａ）および（ｂ）は、図４に示した照明システムにおいて、制御信号の一例を示す図である。
【図１７】（ａ）〜（ｃ）は、図４に示した照明システムにおいて、照明器具の制御部による信号の読み取りエラーを説明するための図である。
【図１８】（ａ）〜（ｃ）は、本実施形態の照明制御装置における駆動部が生成する駆動信号の他例を示す図である。
【図１９】図４に示した照明システムにおいて、照明器具の他の構成を示す図である。
【図２０】（ａ）および（ｂ）は、図４に示した照明システムにおいて、信号生成部の他の構成を示す図である。
【図２１】（ａ）〜（ｃ）は、図４に示した照明システムにおける反転パルス信号の一例を示す図である。
【図２２】本実施形態の照明制御装置および照明制御装置に接続されたデータ制御照明器具を備える照明システムの概略構成を示す図である。
【図２３】上述した照明システムにおける照明器具の要部を示すブロック図である。
【図２４】上述した照明システムにおける照明器具に設定されるアドレスの一例を示す図である。
【図２５】本実施形態の照明制御装置および照明制御装置に接続されたデータ制御照明器具を備える照明システムの概略構成を示す図である。
【図２６】本実施形態の照明制御装置の外観図である。
【図２７】（ａ）および（ｂ）は本実施形態の照明制御装置の外観図である。
【図２８】本実施形態の照明制御装置の外観図である。
【図２９】本実施形態の照明制御装置および照明制御装置に接続されたデータ制御照明器具を備える照明システムの概略構成を示す図である。
【図３０】本実施形態の照明制御装置の要部を示すブロック図である。
【図３１】本実施形態の照明制御装置の外観図である。
【図３２】（ａ）および（ｂ）は本実施形態の照明制御装置の外観図である。
【図３３】本実施形態の照明制御装置の外観図である。
【図３４】実施形態の照明制御装置に接続された照明器具の外観図である。
【発明を実施するための形態】
【００１５】
以下、本発明の実施形態について、図面を参照しながら説明する。なお、図中、同一または相当部分については同一の参照符号を付して説明を繰り返さない。
【００１６】
［基本原理］
図１を参照して本発明に係る照明制御装置２（コントローラー）の基本原理を説明する。図１は本発明の実施形態に係る照明制御装置２および照明器具３を示すブロック図である。照明制御装置２は、照明器具３に伝送信号を伝送し、照明器具３を制御する。
【００１７】
照明制御装置２は、第１伝送信号生成部２ｐと第１出力端子２ｔ１とを備える。照明制御装置２は、種々の方式の照明器具を制御可能である。照明器具３は、例えば、切換照明器具、位相調光照明器具またはデータ制御照明器具である。切換照明器具、位相調光照明器具およびデータ制御照明器具はそれぞれ異なる伝送信号に基づいて駆動する。具体的には、切換照明器具は、切換信号に基づいて駆動する。位相調光照明器具は、位相制御信号に基づいて駆動する。データ制御照明器具は、制御信号設定区間において、設定された切り欠きのパターンを有する電圧を含む切欠含有信号に基づいて駆動する。
【００１８】
本実施形態の照明制御装置２において、第１伝送信号生成部２ｐは、切換信号、位相制御信号、または切欠含有信号を切り換えて生成する。第１伝送信号生成部２ｐによって生成された切換信号、位相制御信号、または切欠含有信号は、第１出力端子２ｔ１から出力される。第１出力端子２ｔ１から出力された信号は切換照明器具、位相調光照明器具またはデータ制御照明器具に伝送される。
【００１９】
照明器具３として切換照明器具を照明制御装置２に接続した場合、第１伝送信号生成部２ｐは、切換照明器具が１００％点灯（ＯＮ）または消灯（ＯＦＦ）となるように、切換信号を生成する。例えば、第１伝送信号生成部２ｐが切換信号を生成する場合、オフ期間が０％または１００％の２値のいずれかとなるように切り換える。
【００２０】
照明器具３として位相調光照明器具を照明制御装置２に接続した場合、第１伝送信号生成部２ｐは、光の光量に基づいた波形幅の位相制御信号を出力する。第１伝送信号生成部２ｐが位相制御信号を生成する場合、第１伝送信号生成部２ｐは、照明器具３の光量に応じて、オフ期間を０％以上１００％以下の任意の値に可変に制御可能する。
【００２１】
照明器具３としてデータ制御照明器具を照明制御装置２に接続した場合、第１伝送信号生成部２ｐは、外部電源信号に光の光量に基づくデータ信号を電源信号に重畳することによって生成した切欠含有信号を出力する。第１伝送信号生成部２ｐが切欠含有信号を生成する場合、第１伝送信号生成部２ｐは、電源信号に任意のデータ信号を重畳させる。
【００２２】
以上、図１を参照して説明したように、照明制御装置２において、第１伝送信号生成部２ｐは、切換信号、位相制御信号、または切欠含有信号を切り換えて生成する。したがって、１つの照明制御装置２で、種々の方式の照明器具を制御することができる。
【００２３】
なお、照明制御装置２は、互いに光色（例えば、相関色温度）が異なる種類の照明素子を制御できることが好ましい。互いに光色が異なる種類の照明素子を制御することによって、段階的な調色制御が可能となる。
【００２４】
［具体例１］
図２を参照して本発明に係る照明制御装置２の具体例１を説明する。図２は本発明に係る照明制御装置２および照明器具３を示すブロック図である。照明器具３が第１照明素子３ａと第２照明素子３ｂとを有する点を除いて、図１を参照して説明した照明制御装置２および照明器具３と同様な構成を有するため、重複部分については説明を省略する。
【００２５】
ここでは、照明器具３としてデータ制御照明器具が照明制御装置２に接続されている。データ制御照明器具は、第１照明素子３と第２照明素子３ｂとを有する。第１照明素子３ａは第１光色の光を出射し、第２照明素子３ｂは第２光色とは異なる第２光色の光を出射する。照明器具３は、照明制御装置２に切欠含有信号を出力する。切欠含有信号は、第１制御情報と第２制御情報とを含む。
【００２６】
第１出力端子２ｔ１から出力された信号は、データ制御照明器具に入力される。照明器具３は、照明制御装置２から伝送された切欠含有信号から第１制御情報および第２制御情報を取り出す。データ制御照明器具に入力された信号は、データ制御照明器具の内部で分かれて第１照明素子３ａと第２照明素子３ｂとにそれぞれ入力される。第１制御情報により、第１照明素子３ａが制御され、第２制御情報により、第２照明素子３ｂが制御される。異なる光色の光を出射する第１照明素子３ａ、第２照明素子３ｂを個別に制御することにより、照明制御装置２は照明器具３の調光だけでなく調色も制御できる。すなわち、第１照明素子３ａから出射される光と第２照明素子３ｂから出射される光との混光の光色を変えずに混光の光量を変えることができるとともに、第１照明素子３ａと第２照明素子３ｂのそれぞれの光量を変えながら混光比率を変えることで混光の光色を変えることができる。
【００２７】
［具体例２］
続いて、図３を参照して本発明に係る照明制御装置２の具体例２を説明する。図３は本発明に係る照明制御装置２および照明器具３を示すブロック図である。照明制御装置２が第２伝送信号生成部２ｑと第２出力端子２ｔ２とをさらに備える点を除いて、図１および図２を参照して説明した照明制御装置２および照明器具３と同様な構成を有するため、重複部分については説明を省略する。
【００２８】
ここでは、照明器具３として位相調光照明器具が照明制御装置２に接続されている。照明制御装置２は、第１伝送信号生成部２ｐと第２伝送信号生成部２ｑと第１出力端子２ｔ１と第２出力端子２ｔ２とを備える。位相調光照明器具は、第１光色の光を出射する第１照明素子３ａと、第１光色とは異なる第２光色の光を出射する第２照明素子３ｂとを有する。第１伝送信号生成部２ｐは、第１照明素子３ａを制御する第１位相制御信号を生成し、第１位相制御信号は第１出力端子２ｔ１から出力される。第２伝送信号生成部２ｑは、第２照明素子３ｂを制御する第２位相制御信号を生成し、第２位相制御信号は第２出力端子２ｔ２から出力される。異なる光色の光を出射する第１照明素子３ａ、第２照明素子３ｂが個別に制御されることにより、照明制御装置２は照明器具３の調光だけでなく調色も制御できる。
【００２９】
以上、図２および図３を参照して説明したように、照明制御装置２は、互いに光色の異なる照明素子を制御することができる。したがって、調光調色制御を実現することができる。
【００３０】
ここで、切欠含有信号の生成態様の一例を具体的に説明する。まず、図４を参照して、照明制御装置２から、伝送信号として切欠含有信号を照明器具３に出力する照明システム１を説明する。
【００３１】
図４は、本実施形態の照明制御装置２と、照明制御装置２に接続されたデータ制御照明器具３とを備える照明システム１の要部を示すブロック図である。照明制御装置２は、商用電源５に電気的に接続され、商用電源５から給電される。照明器具３は、照明制御装置２を介して商用電源５に電気的に接続され、商用電源５から給電される。
【００３２】
照明制御装置２は、照明器具３から発生する光の光量及び光色（例えば、相関色温度）を制御可能である。照明制御装置２の起動時、又は照明器具３から発生する光の光量及び光色若しくはそれらのうちの一方を変更する際に、電力線４ａ、４ｂを通じて、光量及び光色を設定する切欠含有信号を伝送信号として照明器具３へ送信する。照明器具３は、照明制御装置２から伝送される伝送信号に応じた光量及び光色の光を発生させる。
【００３３】
詳しくは、照明制御装置２は、スイッチ部２１を有し、照明制御装置２の起動時、又は照明器具３から発生する光の光量及び光色若しくはそれらのうちの一方を変更する際に、スイッチ部２１により、商用電源５から供給される交流電圧の波形が、制御信号設定区間において、設定された切り欠きのパターンを有するように、スイッチ部２１が商用電源５から供給される交流電圧の導通を制御する。この切り欠きのパターンを有する交流電圧が、照明器具３へ給電される。照明器具３は、切り欠きのパターンを有する交流電圧を、光を発生させるためのエネルギー源として利用する一方で、その光の光量及び光色を、加工パターンに従う光量及び光色にする。つまり、制御信号設定区間に含まれる切り欠きのパターンが、光量及び光色を設定する信号として照明器具３へ送信される。
【００３４】
以上のように、照明器具３から発生する光の光量及び光色を設定する伝送信号が、照明制御装置２から電力線４ａ、４ｂを介して照明器具３へ伝送される。したがって、伝送信号を伝送するための専用の信号線を敷設することなく、調光調色制御を簡便に行うことができる。
【００３５】
なお、照明制御装置２が、照明器具３としてデータ制御照明器具以外の照明器具に接続する場合、商用電源５から供給される交流電圧に基づいて切換信号または位相制御信号を生成する。例えば、照明制御装置２は、照明器具３として位相調光照明器具に接続する場合、商用電源５から供給される交流電圧に基づいて、照明器具３の光量に応じた波形幅の位相制御信号を生成する。あるいは、照明制御装置２は、照明器具３として切換照明器具に接続する場合、商用電源５から供給される交流電圧に基づいて、オフ期間が０％または１００％の２値のいずれかとなるように切り換えた切換信号を生成する。
【００３６】
このように、照明制御装置２の第１伝送信号生成部２ｐは、切換信号、位相制御信号、または切欠含有信号を切り換えて生成可能であり、１つの照明制御装置２で、種々の方式の照明器具を制御することができる。
【００３７】
以下、照明器具３としてデータ制御照明器具に照明制御装置２が接続された照明システム１の構成を更に詳しく説明する。ここでは、照明制御装置２は４線式のコントローラーであり、室内の壁等に敷設される。照明器具３は、例えば、ダウンライト又は間接照明である。照明制御装置２及び照明器具３はそれぞれ、電力線４ａ、４ｂを介して商用電源５に電気的に接続される。商用電源５は、電力線４ａ、４ｂを介して照明制御装置２及び照明器具３に給電する。照明制御装置２の出力端子２ｔ１の一方は、スイッチ部２１を介して電力線４ａと接続し、照明制御装置２の出力端子２ｔ１の他方は、電力線４ｂと接続している。
【００３８】
照明制御装置２は、第１伝送信号生成部２ｐと、入力部２３と、表示部２４とを備える。第１伝送信号生成部２ｐは、スイッチ部２１と、駆動部２２と、第１制御部２５とを備える。第１伝送信号生成部２ｐにおいて生成された切欠含有信号は出力端子２ｔ１から出力される。
【００３９】
スイッチ部２１は、電力線４ａに介装される。スイッチ部２１は、商用電源５から供給される交流電圧の波形が、制御信号設定区間において、設定された切り欠きのパターンを有するように、商用電源５から供給される交流電圧の導通を制御する。また、スイッチ部２１は、制御信号設定区間以外の区間において、交流電圧を連続的に通過させる。駆動部２２は、スイッチ部２１を駆動する駆動信号を生成する。第１制御部２５は、駆動部２２を介して、スイッチ部２１の動作を制御する。
【００４０】
スイッチ部２１に含まれるスイッチ素子は、好ましくは半導体スイッチである。本実施形態では、電源として商用電源５が使用されるため、スイッチ部２１に含まれるスイッチ素子として、半導体スイッチの一例である双方向サイリスタ（所謂トライアック）を使用することが好ましい。
【００４１】
図５はスイッチ部２１の一例を示す図である。図５に示すように、双方向サイリスタ６のゲートに駆動部２２が電気的に接続する。駆動部２２は、双方向サイリスタ６のゲートを駆動する駆動信号を発生する。具体的には、駆動部２２は、双方向サイリスタ６をターンオンさせるパルス状の駆動信号を発生する。
【００４２】
再び図４を参照する。照明制御装置２の入力部２３は、ユーザーインターフェースであり、例えば、複数個の押しボタンを含む。ユーザーは、入力部２３を介して、照明器具３が光量及び光色の少なくとも一方の変更を指示することができる。ユーザーによる変更指示は、入力部２３を介して第１制御部２５に入力される。
【００４３】
第１制御部２５は、例えばマイクロコンピューターである。第１制御部２５は、ユーザーによる変更指示に従い、切り欠きのパターンを設定する。そして、第１制御部２５は、制御信号設定区間において、交流電圧の波形が、設定された切り欠きのパターンを有するように、駆動部２２を介してスイッチ部２１の動作を制御する。具体的には、第１制御部２５は、切り欠きのパターンとして、光量を示す第１パターン、及び光色を示す第２パターンを設定する。第１パターン及び第２パターンの設定は、例えば、第１制御部２５の記憶部２５ａにルックアップテーブルを記憶させておくことで実現してもよい。
【００４４】
例えば、ユーザーが光量及び光色の変更を指示した場合、第１制御部２５は、ユーザーが指示した光量及び光色をそれぞれ示す第１及び第２パターンを設定する。また、ユーザーが光量の変更のみを指示した場合、第１制御部２５は、ユーザーが指示した光量を示す第１パターンと、現在の光色を示す第２パターンとを設定する。
【００４５】
第１制御部２５は、入力部２３を介してユーザーが入力（登録）した光量及び光色の情報を記憶部２５ａに記憶させてもよい。これにより、例えば照明制御装置２の電源投入時に、第１制御部２５は、記憶部２５ａに記憶された光量及び光色の情報を用いて切り欠きのパターンを設定することができる。よって、電源投入時に、ユーザーが前回登録した光量及び光色の光を再現することができる。
【００４６】
また第１制御部２５は、表示部２４を制御して、表示部２４に、ユーザーによる光量及び光色の登録を視覚的に補助する情報を表示させる。詳しくは、表示部２４は、家屋や事務所等に照明システム１が設置された直後の初期段階では、規定された光量及び光色の情報を表示する。規定された光量及び光色の情報は記憶部２５ａに記憶されており、初期段階では、この規定された光量及び光色の光が照明器具３から照射される。その後、表示部２４は、入力部２３を介して入力された変更の指示に応じた光量及び光色の情報を表示する。これにより、ユーザーは、表示部２４を見ながら、所望の光量及び光色を登録することができる。
【００４７】
また本実施形態では、電源として商用電源５が使用されるため、照明制御装置２はゼロクロス検出部２６を備える。ゼロクロス検出部２６が、交流電圧波形のゼロクロスポイントを検出し、第１制御部２５は、ゼロクロス検出部２６の検出結果に基づいてスイッチ部２１の動作（双方向サイリスタ６のターンオン）を制御する。詳しくは、第１制御部２５は、ゼロクロス検出部２６の検出結果に基づいて、駆動部２２が駆動信号を発生するタイミングを制御する。
【００４８】
図６は、駆動部２２が生成する駆動信号６１の一例を示す図である。詳しくは、図６（ａ）は、スイッチ部２１を通過した交流電圧５１を示し、図６（ｂ）は駆動信号６１を示す。
【００４９】
図６に示すように、交流電圧５１の波形に切り欠き５３を形成する際、交流電圧５１の半波が始まるゼロクロスポイント５２から所定の時間遅延したタイミングＴで、駆動信号６１の生成が開始される（駆動信号６１が立ち上がる）。本実施形態では、スイッチ部２１のスイッチ素子が双方向サイリスタ６であるため、ゼロクロスポイント５２において双方向サイリスタ６が点弧されない場合、双方向サイリスタ６はゼロクロスポイント５２においてターンオフする。したがって、交流電圧５１の半波が始まるゼロクロスポイント５２から所定の時間遅延したタイミングＴで駆動信号６１を立ち上げることで、双方向サイリスタ６は、交流電圧５１の半波が始まるゼロクロスポイント５２から所定の時間遅延したタイミングＴでターンオンする。これにより、所定の幅の切り欠き５３が交流電圧５１の波形に形成される。
【００５０】
双方向サイリスタ６の点弧角は９０度未満とする。これにより、交流電圧５１の半波の波形のうち、該半波が始まるゼロクロスポイント５２から該半波の位相角度９０度未満の位置までが切り欠かれる。このように双方向サイリスタ６の点弧角を９０度未満とすることで、ノイズの発生を抑制することができる。更に好ましくは、交流電圧５１の半波が始まるゼロクロスポイント５２から２．５ｍ秒の範囲内で双方向サイリスタ６を点弧する。これにより、交流電圧５１の半波の波形のうち、該半波が始まるゼロクロスポイント５２から２．５ｍ秒以内の位置までが切り欠かれるため、照明器具３へ送る電力の損失を抑制することができる。
【００５１】
一方、スイッチ部２１が交流電圧５１の半波を導通させる際には、駆動信号６１は、該半波が開始するゼロクロスポイント５２において立ち上り、該半波が終わるゼロクロスポイント５２の手前で立ち下がる。つまり、第１制御部２５は、交流電圧５１の半波が始まるゼロクロスポイント５２から該半波が終わるゼロクロスポイント５２の手前まで駆動信号６１が生成されるように、駆動部２２を制御する。駆動信号６１を立ち下げるタイミングは、第１制御部２５が交流電圧５１の周波数を判定して決定する。
【００５２】
以上、照明制御装置２について説明した。なお、照明制御装置２は図示しない電源回路を備えている。該電源回路は電力線４ａ、４ｂに電気的に接続しており、照明制御装置２の各部の動作に必要な電力を、電力線４ａ、４ｂを伝送される交流電圧５１に基づいて生成している。また、入力部２３はタッチパネルで形成されてもよい。タッチパネルは、表示部２４に設けられてもよい。また入力部２３は、赤外線リモートコントローラーなどから送信される赤外線を受光可能な赤外線受光部を含むことができる。
【００５３】
この場合、赤外線リモートコントローラーなどから送信された赤外線コード信号が赤外線受光部を介して第１制御部２５に伝送される。例えば、赤外線リモートコントローラーの筐体にボタンが設けられている場合、ユーザーがいずれかのボタンを１回押下する毎に、赤外線コード信号は、ユーザーが変更を指示した光量又は光色の情報を第１制御部２５へ送られる。したがって、例えば、ユーザーが光量ダウンボタンを押下した場合、第１制御部２５は、ユーザーが指示した光量を示す第１パターンと、現在の光色を示す第２パターンとを設定する。以上、照明制御装置２が切欠含有信号の一例を生成する構成を具体的に説明した。
【００５４】
なお、このような照明制御装置２では、第１制御部２５が、駆動部２２から出力される駆動信号のモードを切り換えることにより、第１伝送信号生成部２ｐによって生成される伝送信号を切換信号、位相制御信号および切欠含有信号に切り換えることができる。例えば、照明制御装置２が、照明器具３として位相調光照明器具に接続する場合、双方向サイリスタ６の点弧角は、照明器具３の光量に応じて任意の波形幅を有するように変化して位相制御信号を生成する。あるいは、照明制御装置２が、照明器具３として切換照明器具に接続する場合、双方向サイリスタ６の点弧角は、ほぼゼロまたはほぼ１８０°の間で変化する。
【００５５】
続いて、照明器具３として用いられるデータ制御照明器具の構成を説明する。この照明器具３は、図４に示すように、電力供給部３１と信号生成部３２とを備える。電力供給部３１は電力線４ａ、４ｂに電気的に接続しており、スイッチ部２１を介して伝送された交流電圧５１に基づいて、点灯負荷３４０に電力を供給する。信号生成部３２も電力線４ａ、４ｂに電気的に接続しており、スイッチ部２１を介して照明器具３へ伝送された交流電圧５１が、信号生成部３２にも伝送される。ここでは、電力供給部３１に含まれる整流回路３１０を通過した交流電圧５１が、信号生成部３２に伝送される。したがって、信号生成部３２に伝送される電圧は、整流後の電圧である。
【００５６】
信号生成部３２は、交流電圧５１（整流後の電圧）が有する切り欠き５３のパターンに基づいて、制御信号を生成する。つまり、信号生成部３２は、交流電圧５１の波形のうちの制御信号設定区間の部分を用いて、制御信号を生成する。該制御信号は、電力供給部３１による点灯負荷３４０への電力供給動作を制御するための信号である。
【００５７】
例えば、点灯負荷３４０が、照明素子として、互いに光色の異なる光を出射する複数色のＬＥＤを含む。例えば照明素子として、５０００ケルビン（寒色）のＬＥＤと２７００ケルビン（暖色）のＬＥＤとを使用することができる。このように、互いに光色の異なるＬＥＤを使用することで、調光調色制御を実現することができる。
【００５８】
図７（ａ）及び図７（ｂ）にＬＥＤ３４１の接続例を示す。図７（ａ）及び図７（ｂ）に示すように、同色のＬＥＤ３４１が電気的に直列接続されてもよいし、電気的に並列接続されてもよい。あるいは、点灯負荷３４０は、光色ごとにＬＥＤ３４１を１個ずつ含んでもよい。複数色のＬＥＤ３４１は、平面視したときに均等に配置されることが好ましい。これにより、各光色の光が均等に混ざり、点灯負荷３４０から発生する光の光量を高精度に調節することが可能となる。
【００５９】
再び図４を参照する。点灯負荷３４０の照明素子がＬＥＤ３４１であるため、電力供給部３１は、スイッチ部２１を介して伝送された交流電圧５１に基づいて定電流を生成する。本実施形態では、電源として商用電源５を使用しているため、電力供給部３１は、整流回路３１０、平滑回路３２０、及び、各色のＬＥＤ３４１に対応してそれぞれ設けられた定電流回路３３０（第１定電流回路３３０ａ及び第２定電流回路３３０ｂ）を備える。
【００６０】
整流回路３１０は、スイッチ部２１を介して伝送された交流電圧５１を整流する。整流回路３１０は、好適には全波整流回路である。例えば、整流回路３１０は全波整流回路である。平滑回路３２０は、整流回路３１０の出力を平滑化する。図８に平滑回路３２０の一例を示す。図８に示すように、平滑回路３２０は、ダイオード３２１と電解コンデンサ３２２とから構成されてもよい。
【００６１】
再び図４を参照する。整流回路３１０及び平滑回路３２０により、スイッチ部２１を介して伝送された交流電圧５１が直流電圧に変換される。各定電流回路３３０はそれぞれ、平滑回路３２０の出力（直流電圧）に基づいて定電流を生成する。この定電流により、点灯負荷３４０（ＬＥＤ３４１）に電力が供給される。
【００６２】
図９は、定電流回路３３０の一例の一部を示す図であり、点灯負荷３４０（ＬＥＤ３４１）の周辺の回路構成を示している。図９に示すように、定電流回路３３０は、３個の抵抗器３３１、３３２、３３３、ＮｃｈＭＯＳＦＥＴ３３４、コイル３３５、ダイオード３３６、鉄心入りコイル３３７、及び電解コンデンサ３３８を含んでもよい。電解コンデンサ３３８は、平滑回路３２０の出力によって充電される。信号生成部３２からの信号にしたがってＮｃｈＭＯＳＦＥＴ３３４がターンオン及びターンオフを繰り返すことにより、電解コンデンサ３３８が充電と放電を繰り返す。これにより、ＬＥＤ３４１に定電流が流れて、ＬＥＤ３４１が発光する。
【００６３】
点灯負荷３４０から発生する光の光量及び光色の調節は、各色のＬＥＤ３４１に流れる定電流の電流値を制御することで実行される。したがって、信号生成部３２は、制御信号として、ＮｃｈＭＯＳＦＥＴ３３４のオン時間及びオフ時間を制御する信号を生成する。
【００６４】
図１０は、信号生成部３２の一例を示す図であり、図１１は、図１０に示す信号生成部３２の各部で発生する信号の波形を示す。ＮｃｈＭＯＳＦＥＴ３３４（スイッチ素子の一例）のオン時間及びオフ時間を制御する場合、信号生成部３２は、図１０に示すような回路構成であってもよい。図１０に示す信号生成部３２は、波形変換回路７０と、第２制御部７５とを備える。なお、図１０に示すように、第２制御部７５には電源電圧Ｖｃｃが供給されている。電源電圧Ｖｃｃは、照明制御装置２と同様に照明器具３に設けられた電源回路（図示せず）によって生成される。
【００６５】
波形変換回路７０は、整流回路３１０の出力（整流後の電圧）を閾値と比較して、パルス信号を生成する。波形変換回路７０は、３個の抵抗器７１、７２、７３、及びバイポーラ型トランジスタ７４を備えてもよい。抵抗器７１、７２は、整流後の電圧を分圧する分圧回路を構成する。この分圧回路の出力電圧がバイポーラ型トランジスタ７４のベースに印加される。
【００６６】
図１１（ａ）は、バイポーラ型トランジスタ７４のベースに印加される電圧８１（分圧回路の出力電圧）の波形の一例を示す。分圧回路の出力電圧８１は、切り欠き５３を含む。バイポーラ型トランジスタ７４は、そのベースの閾値と分圧回路の出力電圧８１との大小関係に応じて、ターンオン及びターンオフを繰り返す。これにより、バイポーラ型トランジスタ７４のコレクタと抵抗器７３との接続点に、図１１（ｂ）に示すパルス信号８３が発生する。図１１（ｂ）は、パルス信号８３の一例を示す。なお、抵抗器７３はプルアップ抵抗である。
【００６７】
図１１（ａ）及び図１１（ｂ）に示すように、交流電圧５１のゼロクロスポイント５２に対応する位置８２付近において、分圧回路の出力電圧８１がベース閾値を下回り、パルス信号８３はＬレベルとなる。詳しくは、パルス信号８３は、切り欠き５３の有無に応じた幅を有する２種類のＬレベルを含む。これは、切り欠き５３が形成されている箇所では、分圧回路の出力電圧８１が閾値を下回る時間が、切り欠き５３が形成されていない箇所と比べて長くなるためである。つまり、切り欠き５３が形成されていない箇所では、第１の幅を有する第１Ｌレベル８３ａが発生し、切り欠き５３が形成されている箇所では、第１の幅よりも長い第２の幅を有する第２Ｌレベル８３ｂが発生する。このようにして生成されたパルス信号８３が、第２制御部７５に伝送される。
【００６８】
第２制御部７５は、例えばマイクロコンピューターである。第２制御部７５には、バイポーラ型トランジスタ７４のコレクタと抵抗器７３との接続点から電圧が印加される。即ち、パルス信号８３が第２制御部７５に伝送される。第２制御部７５は、パルス信号８３に含まれる２種類のＬレベル（第１Ｌレベル８３ａ及び第２Ｌレベル８３ｂ）に従って、デジタル信号を発生させる。
【００６９】
具体的には、第２制御部７５は、パルス信号８３を閾値と比較して、Ｌレベルの幅を判断する。そして、第２制御部７５は、Ｌレベルの幅に基づいて、該Ｌレベルが第１Ｌレベル８３ａであるのか第２Ｌレベル８３ｂであるのかを判定し、第１Ｌレベル８３ａに対応して値が「０」となり、第２Ｌレベル８３ｂに対応して値が「１」となるデジタル信号を発生させる。つまり、制御信号設定区間に含まれる交流電圧５１の半波の全部又は一部の波形が切り欠き５３を有するように、照明制御装置２（スイッチ部２１）が交流電圧５１の導通を制御することで、交流電圧５１の半波単位で１ビット分のデータに相当する信号が照明器具３に送信される。ここで、第２制御部７５は、例えば数１００μ秒毎にパルス信号８３を閾値と比較し、パルス信号８３のＬレベルの幅を判断している。このようにパルス信号８３が閾値と細かく比較されることで、パルス信号８３に含まれるノイズの影響を抑制することができる。
【００７０】
好ましくは、第２制御部７５は、第２Ｌレベル８３ｂが検出されるまで、時間的に隣接するＬレベルの幅の比を求めて、Ｌレベルが第１Ｌレベル８３ａであるのか第２Ｌレベル８３ｂであるのかを判定する。つまり、あるＬレベルの幅の比の値は、時間的に一つ前のＬレベルの幅に対する比の値である。詳しくは、第２制御部７５は、求めたＬレベルの幅の比の値が、規定された第１範囲内の値であるとき、そのＬレベルが第１Ｌレベル８３ａであると判定する。一方、第２制御部７５は、求めたＬレベルの幅の比の値が、規定された第２範囲内の値であるとき、そのＬレベルが第２Ｌレベル８３ｂであると判定する。第１範囲は、第２範囲よりも狭く設定されている。そして、第２制御部７５は、第２Ｌレベル８３ｂが検出された後は、第１Ｌレベル８３ａが検出されるまで、Ｌレベルの幅の比の値として、第２Ｌレベル８３ｂの前のＬレベル（第１Ｌレベル８３ａ）の幅に対する比の値を求める。なお、第２制御部７５は、求めたＬレベルの幅の比の値が「１」であるとき、そのＬレベルが第１Ｌレベル８３ａであると判定してもよい。
【００７１】
なお、このようにＬレベルの幅の比の値を求める場合、好ましくは、照明制御装置２は、電源投入直後は交流電圧５１の波形に切り欠き５３を形成せずに、パルス信号８３に複数回連続して第１Ｌレベル８３ａが発生するようにする。また、１つの制御信号設定区間が終了した後、照明制御装置２は、交流電圧５１の波形に切り欠き５３を形成せずに、パルス信号８３に複数回連続して第１Ｌレベル８３ａが発生するようにする。
【００７２】
以上のようにＬレベルの幅の比の値を求めることで、温度上昇に起因してＬレベルの幅が変化しても、第２制御部７５はパルス信号８３（切り欠き５３のパターン）を読み取ることができる。図１２（ａ）は、通常状態のパルス信号８３の波形の一例を示す。図１２（ａ）に示すように、通常、第１Ｌレベル８３ａの幅Ｗ１及び第２Ｌレベル８３ｂの幅Ｗ２は一定である。一方、図１２（ｂ）に２点鎖線で示すように、温度上昇に起因してパルス信号８３の立下りが鈍化して、第１Ｌレベル８３ａの幅Ｗ１及び第２Ｌレベル８３ｂの幅Ｗ２が変化することがある。このため、第２制御部７５が判断した第１Ｌレベル８３ａの幅Ｗ１及び第２Ｌレベル８３ｂの幅Ｗ２をそれぞれ固定値と比較して、Ｌレベルが第１Ｌレベル８３ａであるのか第２Ｌレベル８３ｂであるのかを判定する場合、温度上昇に起因してパルス信号８３の波形幅が変化すると、第２制御部７５はパルス信号８３を読み取ることができなくなる可能性がある。これに対し、温度上昇に起因してパルス信号８３の立下りが鈍化しても、各Ｌレベルの幅の変化は略同程度であるため、Ｌレベルの幅の比の値を求めることで、パルス信号８３を読み取ることができる。
【００７３】
第２制御部７５は、デジタル信号を発生させると、そのデジタル信号の内容（データ）に基づいて、各定電流回路３３０（第１定電流回路３３０ａ及び第２定電流回路３３０ｂ）に含まれる各ＮｃｈＭＯＳＦＥＴ３３４のオン時間及びオフ時間を制御する信号（制御信号）をそれぞれ生成する。具体的には、制御信号はパルス電圧であり、デジタル信号の内容に応じて、各定電流回路３３０ａ、３３０ｂへ伝送されるパルス電圧のパルス幅が決まる。したがって、各定電流回路３３０ａ、３３０ｂに含まれるＬＥＤ３４１に流れる定電流の電流値は、デジタル信号の内容に応じた値、即ち切り欠き５３のパターンに応じた値となる。パルス電圧のパルス幅の設定は、例えば、第２制御部７５の記憶部７５ａにルックアップテーブルを記憶させておくことで実現してもよい。
【００７４】
続いて、図１〜図１６を参照して、点灯負荷３４０の光量及び光色の少なくとも一方が変更される際の照明システム１の動作を説明する。図１３〜図１５は、照明システム１の各部の信号波形を示す。
【００７５】
電力線４ａ、４ｂには、商用電源５から、図１３（ａ）に示す正弦波状の交流電圧５１が供給されている。第１制御部２５は、点灯負荷３４０から発生する光の光量及び光色の少なくとも一方を変更する指示が入力部２３を介して入力されると、変更の指示に応じてスイッチ部２１の動作を制御する。これにより、スイッチ部２１は、交流電圧５１の波形が、制御信号設定区間において、設定された切り欠き５３のパターンを有するように、交流電圧５１の導通を制御する。また、第１制御部２５は、制御信号設定区間以外の区間において、交流電圧５１がスイッチ部２１を連続的に通過するように、スイッチ部２１の動作を制御する。
【００７６】
本実施形態では、切り欠き５３のパターンが、光量を示す第１パターンと、光色を示す第２パターンとを含むように、スイッチ部２１が交流電圧５１の導通を制御する。詳しくは、スイッチ部２１は、交流電圧５１の波形が、連続して複数の第１パターンの切り欠き５３を有するように、交流電圧５１の導通を制御した後、交流電圧５１の波形が、連続して複数の第２パターンの切り欠き５３を有するように、交流電圧５１の導通を制御する。ここでは、交流電圧５１の波形が、第１パターンで連続して２回切り欠かれた後に、第２パターンで連続して２回切り欠かれる場合について説明する。
【００７７】
図１３（ｂ）は、スイッチ部２１を通過した交流電圧５１の波形の一例を示す。スイッチ部２１が交流電圧５１を一時的に遮断することにより、図１３（ｂ）に示すように、交流電圧５１の波形に切り欠き５３が形成される。そして、切り欠き５３を有する交流電圧５１が、照明器具３の整流回路３１０へ伝送される。
【００７８】
整流回路３１０は、スイッチ部２１を介して伝送された交流電圧５１を整流する。図１３（ｃ）は、整流回路３１０の出力（整流後の電圧８１）の一例を示す。平滑回路３２０は、整流回路３１０の出力を平滑化する。図１３（ｄ）は、平滑回路３２０の出力の一例を示す。図１３（ｄ）に示すように、平滑回路３２０により直流電圧１０１が得られる。したがって、平滑回路３２０から各定電流回路３３０へ直流電圧１０１が供給される。
【００７９】
一方、信号生成部３２には、整流回路３１０による整流後の電圧８１が伝送される。信号生成部３２は、電圧８１が有する切り欠き５３のパターンに基づいて、各色のＬＥＤ３４１ごとに制御信号を変更する。波形変換回路７０は、切り欠き５３のパターンに応じたパルス信号８３（図１１参照）を発生させる。そして第２制御部７５が、パルス信号８３に含まれる２種類のＬレベル（第１Ｌレベル８３ａ及び第２Ｌレベル８３ｂ）に従い、デジタル信号を発生させる。詳しくは、図１４に示すように、第１パターンの切り欠き５３に対応する第１デジタル信号（光量データコード１１１）が連続して２回発生し、次いで、第２パターンの切り欠き５３に対応する第２デジタル信号（光色データコード１１２）を連続して２回発生させる。
【００８０】
第２制御部７５は、２つの光量データコード１１１が同一であるか否かに応じて、点灯負荷３４０から発生する光の光量の調節の有効無効を判定する。同様に、第２制御部７５は、２つの光色データコード１１２が同一であるか否かに応じて、点灯負荷３４０から発生する光の光色の調節の有効無効を判定する。そして、第２制御部７５は、光量の調節及び光色の調節のそれぞれの有効無効の判定結果に応じた制御信号を生成する。
【００８１】
具体的には、２つの光量データコード１１１が同一であり、２つの光色データコード１１２が同一である場合、第２制御部７５は、光量データコード１１１及び光色データコード１１２に基づいて、各定電流回路３３０の動作を制御する制御信号（パルス電圧）をそれぞれ生成する。つまり、第２制御部７５は、各定電流回路３３０（第１定電流回路３３０ａ及び第２定電流回路３３０ｂ）へ伝送するパルス電圧のパルス幅を決定する。そして、第２制御部７５は、次に照明制御装置２が交流電圧５１の波形に切り欠き５３を形成するまで、決定されたパルス幅を有する各パルス電圧を、対応する定電流回路３３０へそれぞれ送信する。これにより、制御信号設定区間に含まれる切り欠き５３のパターンに応じて、各定電流回路３３０へ送信される制御信号のうちの少なくとも一方が変更される。この制御信号は、点灯負荷３４０の光量及び光色をそれぞれ光量データコード１１１及び光色データコード１１２に応じたレベルにする信号である。また第２制御部７５は、光量データコード１１１及び光色データコード１１２を記憶部７５ａに記憶させる。
【００８２】
一方、２つの光量データコード１１１は同一であるが、２つの光色データコード１１２が一致しなかった場合、第２制御部７５は、今回発生させた光量データコード１１１と記憶部７５ａに記憶されている光色データコード１１２とに基づいて、各定電流回路３３０へ伝送するパルス電圧のパルス幅を決定する。２つの光量データコード１１１が不一致であり、２つの光色データコード１１２が一致した場合も同様にパルス電圧のパルス幅が決定される。また、２つの光量データコード１１１と２つの光色データコード１１２とがいずれも不一致であった場合、第２制御部７５は、制御信号の変更を行わない。
【００８３】
図１５は、信号生成部３２（第２制御部７５）が、制御信号設定区間に含まれる切り欠き５３のパターンに対応して発生させるデジタル信号の一例を示す。図１５は、デジタル信号を模式的に表した図であって、各データコードに記載されている「０」「１」の数値はデジタル信号の値を示す。図１５に示すように、ここでは、光量データコード１１１及び光色データコード１１２のビット数はいずれも６ビットである。つまり、スイッチ部２１は、交流電圧５１の連続する２４個の半波の全部又は一部の波形が切り欠き５３を有するように、交流電圧５１の導通を制御することで、信号生成部３２に光量データコード１１１及び光色データコード１１２をそれぞれ２回発生させる。このように、制御信号設定間は、交流電圧５１の半波の数によって規定される。
【００８４】
また、各光量データコード１１１及び各光色データコード１１２のそれぞれの先頭の値は「１」となる。これにより、第２制御部７５が、各光量データコード１１１及び各光色データコード１１２のそれぞれの先頭を確実に検出できるようになる。また、照明制御装置２（第１制御部２５）は、交流電圧５１の半波のうち、照明制御装置２の起動直後及び制御信号設定区間終了直後の５つの半波の波形に切り欠き５３を形成しない仕様となっている。照明器具３の制御部７５は、デジタル信号の値が５ビット以上連続して「０」となったとき、待機モードに遷移する。待機モードに遷移した第２制御部７５は、デジタル信号の値が「１」となったとき、制御信号設定区間が開始されたと判断する。つまり、５ビット以上連続する「０」は、制御信号設定区間の開始を予告する。
【００８５】
図１６（ａ）は第１定電流回路３３０ａへ伝送される制御信号１２１ａの一例を示し、図１６（ｂ）は第２定電流回路３３０ｂへ伝送される制御信号１２１ｂの一例を示している。図１６（ａ）及び図１６（ｂ）に示すように、制御信号１２１ａ、１２１ｂは、切り欠き５３のパターンに基づいてパルス幅が調整されたパルス電圧である。図１６（ａ）及び図１６（ｂ）に示す例では、時刻ｔ１において、制御信号１２１ａ、１２１ｂのパルス幅が変化している。このパルス幅の変化により、点灯負荷３４０から発生する光の光量及び光色が、入力部２３を介して入力された変更の指示に応じた光量及び光色に調節される。
【００８６】
具体的には、制御信号１２１ａ、１２１ｂによって、各色のＬＥＤ３４１に流れる電流の割合が制御されて、点灯負荷３４０から発生する光（混光）の光色が調節される。また、制御信号１２１ａ、１２１ｂによって、各色のＬＥＤ３４１に流れる電流の合計値が制御されて、点灯負荷３４０から発生する光（混光）の光量が調節される。つまり、信号生成部３２は、２色のＬＥＤ３４１に流れる電流の割合、及び２色のＬＥＤ３４１に流れる電流の合計値を制御して、調光調色制御を実行している。このように、信号生成部３２は、各色のＬＥＤ３４１に供給される電力を個別に制御して、点灯負荷３４０から発生する光の光量及び光色を、切り欠き５３のパターンに応じた光量及び光色にする。
【００８７】
なお、照明制御装置２の起動時には、照明制御装置２（第１制御部２５）は、記憶部２５ａに記憶された光量及び光色の情報を用いて切り欠き５３のパターンを設定する。そして、照明制御装置２は、少なくとも交流電圧５１の５つの連続する半波が、切り欠かれることなくそのままスイッチ部２１を通過した後に、交流電圧５１の波形が、設定された切り欠き５３のパターンを有するように、スイッチ部２１の動作を制御する。照明制御装置２の起動時に使用される光量及び光色の情報の内容は規定値であってもよいし、ユーザーが記憶部２５ａに記憶させた値であってもよい。
【００８８】
また、記憶部２５ａに、時刻に合わせた光量及び光色の情報を記憶させておき、照明制御装置２の起動時に、照明制御装置２が、現在の時刻に対応する光量及び光色の情報を用いて切り欠き５３のパターンを設定してもよい。これにより、時刻に合った光量及び光色の光を発生させることができる。更に、照明制御装置２は、照明器具３の点灯中に、現在の時刻に対応する光量及び光色の情報を用いて切り欠き５３のパターンを設定してもよい。これにより、時刻に応じて自動的に光量及び光色を変化させることができる。
【００８９】
以上のように、点灯負荷３４０から発生する光の光量及び光色を設定する信号が、照明制御装置２から電力線４ａ、４ｂを介して照明器具３へ送られる。したがって、専用の信号線を敷設することなく、調光調色制御を行うことができる。
【００９０】
更に本実施形態によれば、ノイズの発生を抑制することができる。例えば位相調光方式では、交流電圧のサインカーブの頂点で双方向サイリスタがＯＮすることがあり、この際に大きなノイズ（電磁波）が発生するという問題があった。これに対し本実施形態によれば、交流電圧５１の半波のうち、該半波が始まるゼロクロスポイント５２から、該半波の位相角度９０度未満の位置までの範囲内で、双方向サイリスタ６がターンオンする。よって、位相調光方式のように大きなノイズが発生することがない。また、好ましくは、交流電圧５１の半波が始まるゼロクロスポイント５２から２．５ｍ秒の範囲内で双方向サイリスタ６をターンオンさせることで、ノイズの発生をより一層抑制することができるとともに、照明器具３へ送る電力の損失を抑制することができる。
【００９１】
また、本実施形態によれば、交流電圧５１の波形は、制御信号設定区間においてのみ切り欠き５３のパターンを有し、制御信号設定区間以外の区間においては、交流電圧５１はスイッチ部２１を連続的に通過する。これにより、照明器具３へ送る電力の損失を抑制することができる。
【００９２】
なお、スイッチ部２１は、交流電圧５１の波形が、切り欠き５３のパターンを一定時間間隔で繰り返し有するように、交流電圧５１の導通を制御してもよい。これにより、第２制御部７５が読み取りエラーを起こすおそれが抑制される。切り欠き５３のパターンの繰り返し間隔は、一定時間間隔に限らず、変動する時間間隔であってもよい。
【００９３】
また、第１Ｌレベル８３ａに対応して「０」となり、第２Ｌレベル８３ｂに対応して「１」となるデジタル信号を発生させる場合について説明したが、第１Ｌレベル８３ａに対応して「１」となり、第２Ｌレベル８３ｂに対応して「０」となるデジタル信号を発生させてもよい。
【００９４】
また、光量データコード１１１及び光色データコード１１２のビット数はいずれも６ビットであったが、光量データコード１１１及び光色データコード１１２のビット数は、照明器具３において設定可能な光量及び光色の全てのレベルを示すことが可能である限り、特に限定されるものではない。但し、ビット数が少ないほど、照明器具３へ送ることができる電力量を多くすることができ、商用電源５から供給される電力を有効に活用することができる。また、ビット数が少ないほど、照明器具３への光量及び光色の情報の伝達速度を速くすることができる。
【００９５】
また、第２制御部７５は、デジタル信号の値が５ビット以上連続して「０」となったとき、待機モードに遷移したが、第２制御部７５を待機モードに遷移させるデジタル信号の値は、５ビット以上連続する「０」に限定されるものではない。例えば、制御信号設定区間の開始を予告するために、特定のパターンの切り欠き５３が交流電圧５１に形成されてもよい。
【００９６】
また、交流電圧５１の波形が連続して複数の第１パターンの切り欠き５３を有するように、交流電圧５１の導通が制御された後、交流電圧５１の波形が連続して複数の第２パターンの切り欠き５３を有するように、交流電圧５１の導通が制御されたが、スイッチ部２１は、第１パターンの切り欠き５３と第２パターンの切り欠き５３とをそれぞれ１回ずつ交流電圧５１の波形に形成してもよい。
【００９７】
続いて、照明制御装置２の駆動部２２が発生する駆動信号６１の他例について、図１７及び図１８を参照して説明する。図１７（ａ）及び図１７（ｂ）に示すように、交流電圧５１の半波が終わるゼロクロスポイント５２の手前で駆動信号６１が立ち下がる場合、交流電圧５１の半波の終りの部分に、意図しない切り欠き５４が発生することがある。切り欠き５４は、交流電圧５１の半波の終りの部分において電力が急激に小さくなることに起因して、双方向サイリスタ６が自動的にターンオフすることによって発生する。
【００９８】
切り欠き５４が発生すると、図１７（ｃ）に示すように、第２制御部７５（照明器具３の制御部）に送信されるパルス信号８３に、第３Ｌレベル８３ｃが発生する。第３Ｌレベル８３ｃは、第１Ｌレベル８３ａよりも幅が広いため、第２制御部７５は、第３Ｌレベル８３ｃ（切り欠き５４）に対応して値が「１」となるデジタル信号を発生させる可能性がある。
【００９９】
そこで、図１８（ａ）及び図１８（ｂ）に示すように、第１制御部２５（照明制御装置２の制御部）は、スイッチ部２１が交流電圧５１を通過させる間、交流電圧５１の半波のうちの切り欠き５３を形成する対象の半波の手前まで、駆動信号６１が継続して生成されるように、駆動部２２を制御する。このようすれば図１８（ａ）に示すように、交流電圧５１に切り欠き５４が形成されないため、図１８（ｃ）に示すように、第３Ｌレベル８３ｃが発生しない。したがって、第２制御部７５が読み取りエラーを起こすおそれが抑制される。
【０１００】
続いて、照明器具３の他の構成について説明する。図１９は、データ制御照明器具として用いられる照明器具３の他の構成を示す。図１９に示すように、照明器具３は、電力供給部３１（整流回路３１０）に供給される前の交流電圧５１を整流する整流回路３３を更に備えてもよい。この場合、図４に示す照明器具３と異なり、信号生成部３２には、整流回路３３によって整流された電圧が供給される。したがって、信号生成部３２は、整流回路３３による整流後の電圧の波形が有する切り欠き５３のパターンに基づいて、制御信号１２１ａ、１２１ｂを生成する。整流回路３３は、図１９に示すように、電力線４ａ、４ｂにそれぞれ接続されるダイオード１６１、１６２を備えてもよい。斯かる構成によれば、信号生成部３２が切り欠き５３をより確実に検出することができる。
【０１０１】
続いて、信号生成部３２の他の構成について説明する。図２０は、信号生成部３２の他の構成を示す。図２０（ａ）に示すように、波形変換回路７０の後段に反転回路７６を設けてもよい。図２０（ｂ）に示すように、反転回路７６は、バイポーラ型トランジスタ７７と抵抗器７８とを備えてもよい。この場合、バイポーラ型トランジスタ７７のベースにパルス信号８３が送信され、バイポーラ型トランジスタ７７のコレクタと抵抗器７８との接続点から、反転されたパルス信号８３が第２制御部７５に送信される。なお、抵抗器７８はプルアップ抵抗である。以下、反転回路７６によって反転されたパルス信号８３を「反転パルス信号８４」と記載する。
【０１０２】
第２制御部７５は、反転パルス信号８４を閾値と比較して、Ｈレベルの幅を判断する。そして、第２制御部７５は、Ｈレベルの幅に基づいて、該Ｈレベルが、第１Ｌレベル８３ａを反転させたＨレベルであるのか、第２Ｌレベル８３ｂを反転させたＨレベルであるのかを判定する。そして、第２制御部７５は、第１Ｌレベル８３ａを反転させたＨレベルに対応して値が「０」となり、第２Ｌレベル８３ｂを反転させたＨレベルに対応して値が「１」となるデジタル信号を発生させる。
【０１０３】
図２１（ａ）は、通常のパルス信号８３の一例を示す。図２１（ａ）に示すように、通常、第１Ｌレベル８３ａの幅Ｗ１及び第２Ｌレベル８３ｂの幅Ｗ２は一定である。一方、図２１（ｂ）に２点鎖線で示すように、温度上昇に起因してパルス信号８３の立下りが鈍化して、第１Ｌレベル８３ａの幅Ｗ１及び第２Ｌレベル８３ｂの幅Ｗ２が変化することがある。波形が変化したパルス信号８３が第２制御部７５に送信されると、閾値との関係で、第２制御部７５が検出するＬレベルの幅が変化する。
【０１０４】
図２１（ｃ）は、反転パルス信号８４の一例を示す。図２１（ｂ）及び図２１（ｃ）に示すように、パルス信号８３の立下りが鈍化すると、反転パルス信号８４の立ち上がりが鈍化する。しかし、波形が変化した反転パルス信号８４が第２制御部７５に送信されても、閾値との関係で、第２制御部７５が検出するＬレベルの幅は略一定又は一定となる。
【０１０５】
したがって、反転回路７６を設けることで、温度上昇に起因してパルス信号８３の波形が変化しても、第２制御部７５は、反転パルス信号８４に含まれるＨレベルの幅の比を求めることなく、切り欠き５３のパターンを読み取ることができる。
【０１０６】
上述した説明では、本実施形態の照明制御装置は、１つのデータ制御照明器具を制御したが、本発明はこれに限定されない。以下、図２２〜図２４を参照して、本実施形態の照明制御装置および照明制御装置に接続された複数のデータ制御照明器具を備える照明システムの概略構成を説明する。図２２は、照明システム１の概略構成を示す。図２２に示すように、照明システム１は、データ制御照明器具として、直列に接続された複数の照明器具３ａを備える点で、図４に示した照明システム１とは異なる。
【０１０７】
図２３は、この照明システム１における照明器具３ａの要部を示すブロック図である。照明器具３ａは、出力端子３５ａ、３５ｂを備える点で、上述した照明システム１の照明器具３と異なる。出力端子３５ａ、３５ｂは、配線４２ａ、４２ｂを介して、入力端子３４ａ、３４ｂと電気的に接続している。
【０１０８】
入力端子３４ａ、３４ｂは、送り線４１ａ、４１ｂを介して、前段の照明制御装置２の出力端子又は前段の照明器具３ａの出力端子３５ａ、３５ｂと電気的に接続している。照明制御装置２の出力端子２ｔ１の一方は、スイッチ部２１を介して電力線４ａと接続し、照明制御装置２の出力端子２ｔ１の他方は、電力線４ｂと接続している（図４参照）。
【０１０９】
したがって、図２２に示す照明システム１において、各照明器具３ａは、照明制御装置２を介して、電力線４ａ、４ｂに対して並列接続されており、各照明器具３から発生する光の光量及び光色を設定する信号（切り欠き５３のパターンを有する交流電圧５１の波形）が、照明制御装置２から送り線４１ａ、４１ｂを介して各照明器具３へ一括して送信される。
【０１１０】
以上のように、本実施形態によれば、制御用の信号線を敷設することなく、１台の照明制御装置２によって、複数の照明器具３ａから発生する光の光量及び光色を一括して制御することができる。
【０１１１】
なお、図２４に示すように、各照明器具３ａにそれぞれ固有のアドレス（宛先）が設定されてもよい。アドレスは、例えば、各照明器具３ａに設けた切換部によって設定することができる。この場合、照明制御装置２は、切り欠き５３のパターンに、制御対象の照明器具３ａのアドレスを示す切り欠き５３のパターンを含ませる。複数の照明器具３ａの各々の信号生成部３２は、切り欠き５３のパターンが自己のアドレスと同一のアドレスを示すパターンを含む場合に、該切り欠き５３のパターンに基づいて、制御信号１２１ａ、１２１ｂを生成する。このように各照明器具３ａにそれぞれ固有のアドレスを設定することで、各照明器具３ａから発生する光の光量及び光色を個別に制御することができる。
【０１１２】
上述したように、本実施形態の照明制御装置は表示部および入力部を備えており、入力部としてボタンが設けられていることが好ましい。
【０１１３】
以下、図２５及び図２６を参照して、本実施形態の照明制御装置２ａと、データ制御照明器具として、照明制御装置２ａに接続された照明器具３ａとを備える照明システム１の概略構成を説明する。
【０１１４】
図２５は、本実施形態の照明制御装置２ａを備える照明システム１の概略構成を示す。図２５に示した照明システム１は、図２２を参照して説明した照明システム１と同様に、複数の照明器具３ａを備える。図２６は、本実施形態の照明制御装置２ａの外観図である。
【０１１５】
図２６〜図２８を参照して、照明制御装置２が制御するデータ制御照明器具の制御方式の設定方法を説明する。図２６〜図２８は、照明制御装置２ａの外観図であり、カバー部２１１が開かれた状態を示している。図２７および図２８はカバー部２１１を省略している。図２６に示すように、照明制御装置２ａは、筐体２１０とカバー部２１１とを備える。カバー部２１１は、筐体２１０に回動可能に支持される。なお、カバー部２１１は省略することができる。
【０１１６】
筐体２１０には、入力部２３として、選択ボタン２１２、決定ボタン２１３、アップボタン２１４、ダウンボタン２１５、電源入り切りボタン２１６、第１記憶ボタン２１７、第２記憶ボタン２１８、第３記憶ボタン２１９、おやすみボタン２２０、お目覚めボタン２２１、及び切換部２２２が設けられている。ここでは、切換部２２２はディップスイッチから構成されている。
【０１１７】
第１制御部２５は、カバー部２１１が開くと、表示部２４のディスプレイに、各系統の照明器具群から発生する光の現在の光量及び光色を示す画面を表示させる。
【０１１８】
表示部２４は、第１伝送信号生成部２ｐの生成する信号を設定するための設定画面を表示する。したがって、ユーザーは表示部２４に表示された設定画面を見て制御する照明器具の制御方式を設定することができる。本実施形態において設定できる制御方式は、「調光調色」、「ＯＮ／ＯＦＦ」または「調光」である。切換部２２２をスライドさせることによって、設定モードか決定モードかを選択することができる。設定モードは、制御方式を設定可能なモードである。決定モードは、設定モードで設定された設定を決定する（反映させる）モードである。本実施形態において、切換部２２２が左にスライドされた状態が決定モードであり、切換部２２２が右にスライドされた状態が設定モードである。
【０１１９】
切換部２２２を左にスライドした状態では、図２６に示すように、表示部２４には、現在設定されている状態（通常画面）が表示される。ここでは、照明制御装置２は、「調光調色」の制御方式が選択されている。
【０１２０】
図２７（ａ）に示すように、切換部２２２が右にスライドされると、表示部２４のディスプレイは、通常画面から器具設定画面に切り換わる。器具設定画面において、設定されている方式と設定されていない方式と区別がつくよう表示される。図２７（ａ）では、網掛けになっている箇所に示されている方式が設定されている方式である。ただし、ここでは、設定されている方式が網掛けとなっているが、設定されている方式の文字と背景色を反転することによって、設定されている方式と設定されていない方式と区別がつくよう表示するように構成してもよい。
【０１２１】
アップボタン２１４またはダウンボタン２１５を押下して、網掛け部分を移動させることによって、ユーザーは所望の方式を選択することができる。ユーザーがダウンボタン２１５を２回押下することによって、図２７（ｂ）に示すように網掛け部分が２つ下へ移動し、「調光」が選択される。
【０１２２】
次に、選択ボタン２１２を押下することによって、「登録」が選択されて図２７（ｂ）に示すように網掛け表示になる。その後、決定ボタン２１３を押下することによって、表示部２４のディスプレイは、図２８に示すよう表示される。
【０１２３】
決定ボタン２１３を押下した後、すなわち、表示部２４のディスプレイ（設定画面）において第１伝送信号生成部２ｐの生成する信号（照明器具の制御方式）の設定が完了した後、図２８に示すように、切換部２２２の切り換えを喚起する喚起画面を表示する。また、器具設定画面の状態で無操作状態が２分以上続いた場合にも、喚起画面は表示される。したがって、切換部２２２を左にスライドさせて設定の決定をすることをユーザーが忘れることを抑制することができる。
【０１２４】
ユーザーによって、切換部が左にスライドされると、設定が反映される。そして、表示部２４のディスプレイは、通常画面に戻る。
【０１２５】
本実施形態によれば、１台の照明制御装置２ａによって、１つの照明制御装置２で、種々の方式の照明器具を制御することができる。また、本実施形態によれば、１台の照明制御装置２ａによって、複数の照明器具３ａから発生する光の光量及び光色を一括して制御することができるため、照明制御装置２ａの筐体２１０として、１個用スイッチボックス型を使用することができる。したがって、照明制御装置２ａのコンパクト化を実現することができる。
【０１２６】
なお、上述した説明において、照明制御装置２、２ａは１つの出力端子２ｔ１又は２つの出力端子２ｔ１、２ｔ２を有していたが、本発明はこれに限定されない。照明制御装置は３以上の出力端子を有していてもよい。
【０１２７】
以下、図２９〜図３３を参照して、本実施形態の照明制御装置２ｂと、照明制御装置２ｂから３系統の配線で接続された複数の照明器具３ａとを備える照明システム１を説明する。この照明システム１は、３系統３００ａ、３００ｂ、３００ｃの照明器具群を備える点で上述した照明システム１とは異なる。
【０１２８】
図２９は、本実施形態の照明制御装置２ｂを備える照明システム１の概略構成を示す。図２９に示すように、照明システム１は、３系統３００ａ、３００ｂ、３００ｃの照明器具群を備える。各系統３００ａ、３００ｂ、３００ｃの照明器具群はそれぞれ、複数の照明器具３ａを含む。詳しくは、図２９に示す照明システム１において、各照明器具３ａは、照明制御装置２ｂを介して、電力線４ａ、４ｂに対して並列接続されており、照明制御装置２ｂは、系統ごとに、照明器具群を一括して制御することができる。
【０１２９】
図３０は、照明制御装置２ｂの要部を示すブロック図である。照明制御装置２ｂは、３つのスイッチ部２１ａ、２１ｂ、２１ｃ、３つの駆動部２２ａ、２２ｂ、２２ｃ、並びに、出力端子２ｔ１、２ｔ２、２ｔ３を備える点で図４に示した照明制御装置２と異なる。
【０１３０】
第１伝送信号生成部２ｐは、第１スイッチ部２１ａと、第１駆動部２２ａと、第１制御部２５とから構成されている。第２伝送信号生成部２ｑは、第２スイッチ部２１ｂと、第２駆動部２２ｂと、第１制御部２５とから構成されている。第３伝送信号生成部２ｒは、第３スイッチ部２１ｃと、第３駆動部２２ｃと、第１制御部２５とから構成されている。
【０１３１】
２つの出力端子２ｔ１のうちの一方は、配線２９ａを介して、電力線４ａが接続する入力端子２７ａに電気的に接続されている。配線２９ａに第１スイッチ部２１ａが介装されている。第１スイッチ部２１ａは、第１系統３００ａに含まれる各照明器具３ａから発生する光の光量及び光色の制御に使用される。第１制御部２５は、第１駆動部２２ａを介して第１スイッチ部２１ａの動作を制御する。また、２つの出力端子２ｔ１のうちの他方は、配線２９ｂを介して、電力線４ｂが接続する入力端子２７ｂに電気的に接続されている。
【０１３２】
出力端子２ｔ２は、配線２９ｃ及び配線２９ａを介して、入力端子２７ａに電気的に接続されている。配線２９ｃに第２スイッチ部２１ｂが介装されている。第２スイッチ部２１ｂは、第２系統３００ｂに含まれる各照明器具３ａから発生する光の光量及び光色の制御に使用される。第１制御部２５は、第２駆動部２２ｂを介して第２スイッチ部２１ｃの動作を制御する。
【０１３３】
出力端子２ｔ３は、配線２９ｄ及び配線２９ａを介して、入力端子２７ａに電気的に接続されている。配線２９ｄに第３スイッチ部２１ｃが介装されている。第３スイッチ部２１ｃは、第３系統３００ｃに含まれる各照明器具３ａから発生する光の光量及び光色の制御に使用される。第１制御部２５は、第３駆動部２２ｃを介して第３スイッチ部２１ｃの動作を制御する。
【０１３４】
図３１〜図３３を参照して、３系統の照明器具群がある場合の、照明制御装置２ｂが制御する照明器具の制御方式の設定方法について説明する。図３１〜図３３は、照明制御装置２ｂの外観図であり、カバー部２１１が開かれた状態を示している。図３２および図３３はカバー部２１１を省略している。図２６ 〜図２８を参照して説明した設定方法と重複する部分については説明を省略する。
【０１３５】
図３１は、照明制御装置２ｂの外観図であり、カバー部２１１が開かれた状態を示している。図３１に示すように、照明制御装置２ｂは、筐体２１０とカバー部２１１とを備える。カバー部２１１は、筐体２１０に回動可能に支持される。なお、カバー部２１１は省略することができる。
【０１３６】
筐体２１０には、入力部２３として、選択ボタン２１２、決定ボタン２１３、アップボタン２１４、ダウンボタン２１５、電源入り切りボタン２１６、第１記憶ボタン２１７、第２記憶ボタン２１８、第３記憶ボタン２１９、おやすみボタン２２０、及びお目覚めボタン２２１、及び複数の切換部（２２２ａ、２２２ｂおよび２２２ｃ）が設けられている。
【０１３７】
第１制御部２５は、ユーザーによる入力部２３の操作に応じて、スイッチ部２１ａ、２１ｂ、２１ｃの動作を制御する。即ち、各スイッチ部２１ａ、２１ｂ、２１ｃに含まれる双方向サイリスタ６（図５参照）のターンオンが、各種のボタン２１２〜２２１の操作に応じて制御される。
【０１３８】
第１制御部２５は、カバー部２１１が開くと、図３１に示すように、表示部２４のディスプレイに、各系統３００ａ、３００ｂ、３００ｃの照明器具群から発生する光の現在の光量、光色、及び制御方式（各系統３００ａ、３００ｂ、３００ｃの点灯状態）を示す画面を表示させる。詳しくは、「照明１」は第１系統の照明器具群を示す。「照明１」の上方の目盛りは、第１系統３００ａに含まれる各照明器具３ａから発生する光の光量及び光色を示す。同様に、「照明２」は第２系統３００ｂの照明器具群を示し、「照明２」の上方の目盛りは、第２系統３００ｂに含まれる各照明器具３ａから発生する光の光量及び光色を示す。また、「照明３」は第３系統３００ｃの照明器具群を示し、「照明３」の上方の目盛りは、第３系統３００ｃに含まれる各照明器具３ａから発生する光の光量及び光色を示す。なお、図３１は、「シーン１」における各系統３００ａ、３００ｂ、３００ｃの点灯状態を示す画面を例示している。
【０１３９】
筐体２１０には、複数の切換部（２２２ａ、２２２ｂおよび２２２ｃ）が設けられている。切換部２２２ａは、照明１設定用の切換部であり、切換部２２２ｂは、照明２設定用の切換部であり、切換部２２２ｃは、照明３設定用の切換部である。
【０１４０】
切換部（２２２ａ、２２２ｂおよび２２２ｃ）を左にスライドした状態では、図３１に示すように、表示部２４には、現在設定されている状態（通常画面）が表示される。ここでは、「照明１」が「ＯＮ／ＯＦＦ」、「照明２」が「調光」、「照明３」が「調光調色」の制御方式が選択されている。
【０１４１】
図３２（ａ）に示すように、切換部（２２２ａ、２２２ｂおよび２２２ｃ）が右にスライドされると、表示部２４のディスプレイは、通常画面から器具設定画面に切り換わる。なお、３つの切換部のうち１つでも右にスライドされると、通常画面から器具設定画面に切り換わる。
【０１４２】
選択ボタン２１２が押下されるごとに、「照明１」、「照明２」、「照明３」、「登録」がこの順で繰り返し選択される。ユーザーは、制御方式の変更を希望する系統が選択されたときに、アップボタン２１４またはダウンボタン２１５を押下することによって、網掛け部分を移動させ、ユーザーは所望の方式を選択することができる。ここでは、「照明１」に対して、ユーザーがダウンボタン２１５を１回押下し、「照明２」に対して、ユーザーがアップボタン２１４を１回押下することによって、図３２（ｂ）に示すように網掛け部分が移動し、「照明１」は「調光」、「照明２」は「ＯＮ／ＯＦＦ」、「照明３」は「調光調色」が選択される。
【０１４３】
次に、選択ボタン２１２を押下することによって、「登録」が選択されて図３２（ｂ）に示すように網掛けになる。その後、決定ボタン２１３を押下する。
【０１４４】
ユーザーによって、切換部が左にスライドされると、設定が反映される。そして、表示部２４のディスプレイは、通常画面に戻る。
【０１４５】
なお、図３３に示すように、切換部を個別に設定側（右側）に切り替えた場合、切換部を切り替えた系統のみ設定することが可能となる。ここでは、切換部２２２ａと切換部２２２ｃとが、右側にスライドされているため、「照明１」と「照明３」とを設定することが可能となる。切換部２２２ｂは、左側にスライドされているので、設定することができず、不要な設定ミスを防ぐために「照明２」のアイコンは表示部２４に表示されていない。
【０１４６】
以下、ユーザーによる入力部２３のさらに別の操作方法の一例について説明する。まず、ユーザーが、選択ボタン２１２を押下すると、機能選択画面が表示される。機能選択画面は、「シーン１」、「シーン２」、「シーン３」、「お目覚め時刻」、及び「照明選択」の各項目を含む。機能選択画面が表示された後、ユーザーが選択ボタン２１２を押下するごとに、各項目が所定の順序で選択される。
【０１４７】
「シーン１」における各系統の点灯状態を更新する場合、ユーザーは、「シーン１」が選択されているときに、決定ボタン２１３を押下する。これにより、図３１に示す画面が、表示部２４のディスプレイに表示される。
【０１４８】
次にユーザーは、選択ボタン２１２を押下する。選択ボタン２１２が押下されるごとに、「照明１」、「照明２」、「照明３」がこの順で繰り返し選択される。ユーザーは、光量及び光色又はそれらのうちの一方の調節を希望する系統が選択されたときに、決定ボタン２１３を押す。これにより、まず、選択された系統の光量のレベルが選択可能となる。
【０１４９】
次にユーザーは、アップボタン２１４又はダウンボタン２１５を押下する。このとき、アップボタン２１４又はダウンボタン２１５が押下される度に、選択された系統の光量の目盛りにおいて、反転表示される位置（光量のレベル）が変化する。ユーザーは、所望の光量のレベルが選択されたときに、決定ボタン２１３を押す。これにより、選択された系統の光量のレベルが設定されるとともに、選択された系統の光色のレベルが選択可能となる。
【０１５０】
次にユーザーは、アップボタン２１４又はダウンボタン２１５を押下する。このとき、アップボタン２１４又はダウンボタン２１５が押下される度に、選択された系統の光色の目盛りにおいて、反転表示される位置（光色のレベル）が変化する。ユーザーは、所望の光色のレベルが選択されたときに、決定ボタン２１３を押す。これにより、選択された系統の光色のレベルが設定されるとともに、表示部２４のディスプレイ上で「登録」が選択される。
【０１５１】
ユーザーは、他の系統の点灯状態を調節する場合は、再度、選択ボタン２１２を操作する。選択ボタン２１２が押下されるごとに、「照明１」、「照明２」、「照明３」がこの順で繰り返し選択される。
【０１５２】
ユーザーが、表示部２４のディスプレイ上で「登録」が選択されているときに決定ボタン２１３を押すと、「シーン１」における各系統３００ａ、３００ｂ、３００ｃの点灯状態が更新される。つまり、設定された光量及び光色の情報が、第１記憶ボタン２１７に対応づけられて、記憶部２５ａに記憶される。
【０１５３】
設定した「シーン１」の点灯状態を再現させる際には、ユーザーは、第１記憶ボタン２１７を押下する。第１記憶ボタン２１７が押下されると、第１制御部２５は、第１記憶ボタン２１７に対応づけて記憶部２５ａに記憶されている情報を用いて、各系統３００ａ、３００ｂ、３００ｃごとに切り欠き５３のパターンを設定する。
【０１５４】
また、現在、「シーン１」が選択されている場合には、「シーン１」における各系統３００ａ、３００ｂ、３００ｃの点灯状態の更新と共に、各系統３００ａ、３００ｂ、３００ｃの照明器具群から発生する光の現在の光量及び光色が調節される。つまり、第１制御部２５は、ユーザーによって設定された光量及び光色に応じた切り欠きのパターン５３を交流電圧５１の波形が有するよう、スイッチ部２１ａ、２１ｂ、２１ｃの動作を制御する。
【０１５５】
また、「おやすみタイマー機能」を設定する場合、ユーザーは、機能選択画面において、「照明選択」が選択されているときに、決定ボタン２１３を押下する。これにより、表示部２４のディスプレイに、各系統３００ａ、３００ｂ、３００ｃごとに「おやすみタイマー機能」及び「お目覚めタイマー機能」を設定することが可能な画面が表示される。
【０１５６】
まず、ユーザーは、選択ボタン２１２を操作して、「おやすみタイマー機能」又は「お目覚めタイマー機能」の設定を希望する系統（「照明１」、「照明２」、「照明３」）を選択した後、決定ボタン２１３を押下する。これにより、所望の系統に対して、「おやすみタイマー機能」又は「お目覚めタイマー機能」の設定が可能となる。
【０１５７】
次に、ユーザーは、アップボタン２１４又はダウンボタン２１５を押下して、「おやすみタイマー機能」を選択した後、決定ボタン２１３を押下する。これにより、表示部２４のディスプレイに、「おやすみタイマー設定画面」が表示される。「おやすみタイマー設定画面」では、選択された系統が完全消灯するまでの時間の候補が複数表示される。
【０１５８】
次に、ユーザーは、おやすみボタン２２０を操作して、選択された系統が完全消灯するまでの時間を複数の候補の中から選択する。これにより、選択された系統の各照明器具３ａから発生する光が、選択された時間が経過する間に、徐々に光量を落とし、選択された時間が経過すと完全消灯する。この間、光量の変化に合わせて、光色も変化する。この光量及び光色の変化は、選択された系統の各照明器具３ａへ、時間の経過に合わせて、所定の切り欠き５３のパターンを有する交流電圧５１の波形を送ることで実現できる。
【０１５９】
「お目覚めタイマー機能」を設定する場合、ユーザーは、機能選択画面において、「照明選択」が選択されているときに、決定ボタン２１３を押下する。これにより、表示部２４のディスプレイに、各系統３００ａ、３００ｂ、３００ｃごとに「おやすみタイマー機能」又は「お目覚めタイマー機能」を設定することが可能な画面が表示される。
【０１６０】
まず、ユーザーは、選択ボタン２１２を操作して、「おやすみタイマー機能」又は「お目覚めタイマー機能」の設定を希望する系統（「照明１」、「照明２」、「照明３」）を選択した後、決定ボタン２１３を押下する。これにより、所望の系統に対して、「おやすみタイマー機能」又は「お目覚めタイマー機能」の設定が可能となる。
【０１６１】
次に、ユーザーは、アップボタン２１４又はダウンボタン２１５を押下して、「お目覚めタイマー機能」を選択した後、決定ボタン２１３を押下する。これにより、表示部２４のディスプレイに、「お目覚め時刻設定画面」が表示される。
【０１６２】
次に、ユーザーは、アップボタン２１４又はダウンボタン２１５を押下して、まず、「時」を選択した後、アップボタン２１４又はダウンボタン２１５を長押しして、「時」を決定する。次に、ユーザーは、アップボタン２１４又はダウンボタン２１５を操作して、「分」を選択した後、アップボタン２１４又はダウンボタン２１５を長押しして、「分」を決定する。これにより、「お目覚めタイマー時刻」が設定される。
【０１６３】
「お目覚めタイマー機能」を作動させる場合、ユーザーは、お目覚めボタン２２１を押下する。これにより、選択された系統の各照明器具３ａから発生する光の光量が、設定された時刻よりも所定時間前から徐々に上がる。そして、設定された時刻になると、選択された系統の各照明器具３ａが完全点灯する。この間、光量の変化に合わせて、光色も変化する。この光量及び光色の変化は、選択された系統の各照明器具３ａへ、時間の経過に合わせて、所定の切り欠き５３のパターンを有する交流電圧の波形を送ることで実現できる。
【０１６４】
電源入り切りボタン２１６（主電源ボタン）は、照明制御装置２ｂの起動及び停止を指示するためのボタンである。即ち、各照明器具３ａが消灯している状態で電源入り切りボタン２１６が押下されると、照明制御装置２ｂが起動する。ユーザーは、照明制御装置２ｂが起動した後、記憶ボタン２１７〜２１９のいずれかを押下する。第１制御部２５は、押下された記憶ボタンに対応づけて記憶部２５ａ（図５参照）に記憶されている光量及び光色の情報を用いて切り欠き５３のパターンを設定する。一方、各照明器具３ａが点灯している状態で電源入り切りボタン２１６が押下されると、第１制御部２５は、各駆動部２２ａ〜２２ｃに、双方向サイリスタ６をオフ状態にする駆動信号６１を発生させて、交流電圧５１が各スイッチ部２１ａ〜２１ｃを導通しないようにする。
【０１６５】
本実施形態によれば、１台の照明制御装置２ｂによって、種々の方式の照明器具を制御することができる。また、本実施形態によれば、１台の照明制御装置２ｂによって、複数の照明器具３ａから発生する光の光量及び光色を一括して制御することができるため、照明制御装置２の筐体２１０として、１個用スイッチボックス型を使用することができる。したがって、照明制御装置２ｂのコンパクト化を実現することができる。
【０１６６】
なお、各系統３００ａ、３００ｂ、３００ｃの照明器具群に含まれる照明器具３ａの数は複数に限定されるものではなく、各系統３００ａ、３００ｂ、３００ｃの照明器具群はそれぞれ、１つ以上の照明器具３ａを含むことができる。
【０１６７】
なお、照明制御装置がデータ制御照明器具に切欠含有信号を出力する場合、照明器具は自身の照射の光量および／または光色を変化させるだけでなく、照明器具から照射される光の出射面の向きを変化させてもよい。
【０１６８】
以下、図３４を参照して光の照射方向を変化させる照明制御装置２ｃを説明する。図３４に示した照明制御装置２ｃに、データ制御照明器具として接続された照明器具３ｃは、灯具本体３０１の傾き角度を調整可能である点で、上述の照明器具とは異なる。図３４は、本実施形態の照明制御装置２ｃに接続された照明器具３ｃの外観図である。
【０１６９】
照明器具３ｃは、例えば、舞台照明である。照明器具３ｃは、灯具本体３０１と、灯具本体３０１を回動可能に支持する支持体３０３とを備える。支持体３０３には、駆動モーター３７が内蔵されており、駆動モーター３７が作動することで、灯具本体３０１が回動する。したがって、駆動モーター３７が作動すると、光の出射面３０２の向き（光の照射方向）が変化する。
【０１７０】
更に、照明器具３ｃは、モーター電力供給部３６を備える。モーター電力供給部３６は、スイッチ部２１を介して伝送された交流電圧５１に基づいて、駆動モーター３７に電力を供給する。
【０１７１】
また、駆動モーター３７にはアドレス（宛先）が設定されている。アドレスは、例えば切換部によって設定することができる。信号生成部３２は、切り欠き５３のパターンが駆動モーター３７のアドレスと同一のアドレスを示すパターンを含む場合に、該切り欠き５３のパターンに基づいて、モーター電力供給部３６による駆動モーター３７への電力供給動作を制御する制御信号を生成する。
【０１７２】
例えば、駆動モーター３７がステッピングモーターである場合、切り欠き５３のパターンは、ステッピングモーターの回転角度を示す。また、モーター電力供給部３６は複数のスイッチ素子を含む。信号生成部３２は、切り欠き５３のパターンに基づいて、モーター電力供給部３６の複数のスイッチ素子の各々を駆動する制御信号をそれぞれ生成する。モーター電力供給部３６は、複数のスイッチング素子の動作により、切り欠き５３のパターンで示された回転角度だけステッピングモーターを回転させる電力パルスをステッピングモーターへ供給する。これにより、光の出射面３０２の向き（光の照射方向）を変化させることができる。
【０１７３】
以上、本発明の具体的な実施形態を説明したが、本発明は上記実施形態に限定されるものではなく、上記実施形態に種々の改変を施すことができる。
【０１７４】
例えば、上記各実施形態では、図４以降の図面を参照して説明した照明制御装置２、２ａ〜２ｃは４線式のコントローラーであったが、照明制御装置２、２ａ〜２ｃは２線式であってもよい。
【０１７５】
また、上述した実施形態では、商用電源５から電力が供給されたが、電力線４ａ、４ｂに電力を供給する外部電源は商用電源５に限定されるものではなく、自家発電機等であってもよい。また、外部電源はＡＣ電源に限定されるものではなく、直流電源であってもよい。この場合、スイッチ部２１、２１ａ〜２１ｃは、直流電圧の波形が、設定された切り欠きのパターンを有するように、直流電圧の導通を制御する。ここで、切り欠きのパターンは、互いに幅が異なる２種類の切り欠きを含む。直流電源として、商用電源５のサインカーブの頂点の電圧よりも低い電圧を供給する電源を使用することで、ノイズの発生を抑制することができる。
【０１７６】
また、上述した実施形態では、点灯負荷３４０が、照明素子として、互いに光色の異なる光を出射する２色のＬＥＤ３４１を有したが、点灯負荷３４０は１色のＬＥＤ３４１のみを有してもよい。この場合、調光制御のみが実施される。
【０１７７】
また、上述した実施形態では、照明素子がＬＥＤ３４１であったが、照明素子はＬＥＤ３４１に限定されるものではなく、例えば有機ＥＬ素子、白熱電球であってもよい。
【０１７８】
また、上述した実施形態では、切欠含有信号には、１つの半波の切り欠きのパターンの有無に応じてデジタルの情報が重畳されていたが、本発明はこれに限定されない。切欠含有信号には、１つの半波の切り欠きのパターンの有無および長さに応じてデジタルの情報が重畳されていてもよい。
【０１７９】
以上、図面（図１〜図３７）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【符号の説明】
【０１８０】
１      照明システム
２、２ａ〜２ｃ      照明制御装置
２ｐ、２ｑ        伝送信号生成回路
２ｔ１〜２ｔ４    出力端子
３、３ａ〜３ｃ      照明器具
５      商用電源
６      双方向サイリスタ
２１、２１ａ〜２１ｃ    スイッチ部
２２、２２ａ〜２２ｃ    駆動部
２５      第１制御部
２６      ゼロクロス検出部
３１      電力供給部
３２      信号生成部
３６      モーター電力供給部
３７      駆動モーター
３０１    灯具本体
３０２    光の出射面
３０３    駆動モーター
３１０    整流回路
３２０    平滑回路
３３０    定電流回路
３４０    点灯負荷
３４１    ＬＥＤ
【図１】
2015211021.tif 000003
【図２】
2015211021.tif 000004
【図３】
2015211021.tif 000005
【図４】
2015211021.tif 000006
【図５】
2015211021.tif 000007
【図６】
2015211021.tif 000008
【図７】
2015211021.tif 000009
【図８】
2015211021.tif 000010
【図９】
2015211021.tif 000011
【図１０】
2015211021.tif 000012
【図１１】
2015211021.tif 000013
【図１２】
2015211021.tif 000014
【図１３】
2015211021.tif 000015
【図１４】
2015211021.tif 000016
【図１５】
2015211021.tif 000017
【図１６】
2015211021.tif 000018
【図１７】
2015211021.tif 000019
【図１８】
2015211021.tif 000020
【図１９】
2015211021.tif 000021
【図２０】
2015211021.tif 000022
【図２１】
2015211021.tif 000023
【図２２】
2015211021.tif 000024
【図２３】
2015211021.tif 000025
【図２４】
2015211021.tif 000026
【図２５】
2015211021.tif 000027
【図２６】
2015211021.tif 000028
【図２７】
2015211021.tif 000029
【図２８】
2015211021.tif 000030
【図２９】
2015211021.tif 000031
【図３０】
2015211021.tif 000032
【図３１】
2015211021.tif 000033
【図３２】
2015211021.tif 000034
【図３３】
2015211021.tif 000035
【図３４】
2015211021.tif 000036